(57)【要約】【課題】異形サッシの窓枠であっても、窓枠全体を換気開口として利用することによって内外の換気を効率よく行なう。【解決手段】壁の開口部に嵌め込まれるサッシの窓枠１と、この窓枠１の開口部に配置された障子２とを備え、上記障子２をリンク機構２４によって略水平方向に平行移動させるサッシの開閉機構において、前記窓枠１の内側には垂直に対向する複数の補助縦枠２２を架設する一方、前記障子には前記補助縦枠２２に相対する位置に垂直に対向する複数の縦桟１７を架設し、互いに相対する前記補助縦枠２２と前記縦桟７とを前記リンク機構２４を介して連結した。【選択図】図５
2006132209.tif 000002
【特許請求の範囲】
【請求項１】
壁の開口部に嵌め込まれるサッシの窓枠と、この窓枠の開口部に配置された障子とを備え、上記障子をリンク機構によって略水平方向に平行移動させるサッシの開閉機構において、
前記窓枠の内側には垂直に対向する補助縦枠を架設する一方、前記障子には前記補助縦枠に相対する位置に垂直に対向する縦桟を架設し、互いに相対する前記補助縦枠と前記縦桟とを前記リンク機構を介して連結したことを特徴とするサッシの開閉機構。
【請求項２】
前記縦桟は前記障子の採光板材面よりも室内側に後退した位置に配置されている、請求項1記載のサッシの開閉機構。
【請求項３】
前記サッシが、垂直に対向する縦枠を有しない三角形、円形、菱形、台形等の異形サッシである、請求項１又は２に記載のサッシの開閉機構。
【請求項４】
前記窓枠が、建物出隅部において２つの壁面にまたがって設置されるコーナー窓、又は建物の円弧状の壁面に設置される曲面窓の窓枠であり、前記障子が、前記窓枠の開口部の内側に収納された一体の障子である、請求項１又は２に記載のサッシの開閉機構。
【発明の詳細な説明】
【技術分野】
【０００１】
本発明は、住宅用サッシの開閉機構に関する。
【背景技術】
【０００２】
一般に、矩形のサッシをリンク機構によって開閉作動させる場合、そのリンク機構は、障子の同一見込内の垂直に対向する１対の框等に設置されている。すなわち、リンク機構の一方をサッシの窓枠の枠材に、他方を障子の框材にそれぞれ取り付け、リンク作用を利用して障子を窓枠から当接、離反させることにより開閉作動させるものである。
【０００３】
しかし、住宅の切妻面頂部に設けた略三角形状のサッシのような異形サッシでは、対向する枠材と框材がなかったり、あるいは開閉機構を設置するには不向きな位置にある等の理由により、開閉機構を設置することが困難な場合がある。同様に、建物出隅部に設置するコーナー窓、R曲面窓等の単一平面以外の異形サッシでは、障子全体を一体として開閉することは難しい。
【０００４】
そのため、通常は開閉を諦めて嵌殺し窓として構成し、採光のみで満足するか、あるいはサッシ窓枠を方立、無目等によって分割して単純な矩形の枠部を形成し、この枠部内に同じ形状の障子を開閉自在に収納していた。
【特許文献１】特許第３５２２８９９号公報
【特許文献２】特開平８−１９３３８０号公報
【発明の開示】
【発明が解決しようとする課題】
【０００５】
しかしながら、上述のように開口部の一部分のみを開閉する場合、通気可能な面積が限定されるだけでなく、開口部の構造も複雑になるため、コスト的にも不利となる。まして、嵌め殺し窓にする場合、開口部からの日射や屋根面からの輻射によって室内温度が必要以上に上昇し、その熱を外部に排出することができないから、屋根環境が悪化するという問題がある。
【０００６】
また、コーナー窓等複数の壁面に跨る窓の場合には、夫々のガラス面毎に開閉させるしかなく、壁面が曲面の場合、曲面を複数の平面の組み合わせに置き換え、それぞれの平面毎に開閉させるしかなかった。
【０００７】
さらに、開閉機構が開口面毎に必要なため高コストになったり、ガラス面の細分化や桟などのノイズの増加により外観が損なわれたりするという問題があった。
【０００８】
本発明は上記問題点を解消し、異形サッシの窓枠であっても、窓枠全体を換気開口として利用することによって内外の換気を効率よく行なうことができるサッシの開閉機構を提供することをその課題とする。
【課題を解決するための手段】
【０００９】
前記課題を解決するため、請求項１に係るサッシの開閉機構は、壁の開口部に嵌め込まれるサッシの窓枠と、この窓枠の開口部に配置された障子とを備え、上記障子をリンク機構によって略水平方向に平行移動させるサッシの開閉機構において、前記窓枠の内側には垂直に対向する補助縦枠を架設する一方、前記障子には前記補助縦枠に相対する位置に垂直に対向する縦桟を架設し、互いに相対する前記補助縦枠と前記縦桟とを前記リンク機構を介して連結したことを特徴とする。
【００１０】
請求項２に係るサッシの開閉機構は、請求項１に記載のサッシの開閉機構において、前記縦桟が前記障子の採光板材面よりも室内側に後退した位置に配置されていることを特徴とする。
【００１１】
請求項３に係るサッシの開閉機構は、請求項１又は２に記載のサッシの開閉機構において、前記サッシが、垂直に対向する縦枠を有しない三角形、円形、菱形、台形等の異形サッシであることを特徴とする。
【００１２】
請求項４に係るサッシの開閉機構は、請求項１又は２に記載のサッシの開閉機構において、前記窓枠が、建物出隅部において２つの壁面にまたがって設置されるコーナー窓、又は建物の円弧状の壁面に設置される曲面窓の窓枠であり、前記障子が、前記窓枠の開口部の内側に収納された一体の障子であることを特徴とする。
【発明の効果】
【００１３】
本発明によれば、窓枠と障子の互いに相対向する位置に補助縦枠と縦桟とを形成することによって、異形サッシやコーナー窓あるいは曲面窓であってもリンク機構を設けることができる。このため、窓枠の開口部を区画したり、複数の平面の組み合わせをしたりする必要がないから、開口部の外形形状が制限されることなく自由な形状の窓全面を一体として開閉できる。したがって、十分な換気面積を確保でき、内外の換気を効率よく行なうことができる。
【００１４】
また、サッシの一部を開閉する場合に比べて障子が単一で、構成が単純になるため、部材点数および組立工数が削減でき、製造コストを低減することができる。
【００１５】
また、リンク機構の取付位置（障子の支持位置）を力学的に有利な位置に任意に設定できるので、障子やリンク機構にかかる応力を小さくすることができ、従来の障子の両端部の縦框にリンク機構を設置せざるを得ない場合と比較して、部材の断面性能や取付強度の過大な設定の回避や耐久性の向上をはかることができる。
【００１６】
さらに、縦桟が表面に露出せず、ガラス等の採光板材も細分化されないので、サッシの外観がシンプルとなり、意匠的に優れた開口部を提供することができる。
【発明を実施するための最良の形態】
【００１７】
本発明の実施形態を図１の住宅の切妻部に設けられた断熱サッシＡについて説明する。上記サッシＡは壁の開口部に嵌め込まれた窓枠１と、この窓枠１の屋外側に略水平方向に突出して開閉するように配置された障子２とから構成されている。
【００１８】
障子２は、詳しくは図５に示されるように、金属製の框材、つまり左右に斜めに配置された傾斜框３と下框４とを框組みすることによってガラスを保持するように構成され、全体は三角形状に形成されている。
【００１９】
窓枠１は、図１〜図４に示されるように、屋外側の金属製の金属枠１ａと屋内側の合成樹脂製の樹脂枠１ｂとを結合した構成である。金属枠１ａは枠材（金属傾斜枠５と金属下枠６）を三角形状に枠組みしたもので、その外周にはさらに金属製の枠受け材７ａ、７ｂが固定されている。また、上記金属枠１ａは壁開口部を構成する躯体構造材８へ取付けることにより、その内周面は屋内側に露出する。そこで、断熱性を確保するためにこの内周面には合成樹脂製の樹脂枠１ｂが結合されている。
【００２０】
樹脂枠１ｂは合成樹脂製枠材（樹脂傾斜枠９と樹脂下枠１０）を三角形状に枠組みしたもので、嵌合とネジ止めによって金属枠１ａに結合している。樹脂枠１ｂは断面が中空の樹脂部材を用いるのが好ましいが、図３、４のように、断面コ字形の合成樹脂部と屋外側に開口した開口部を金属板部１１で閉鎖するように構成したものであってもよい。そして、上記樹脂枠１ｂは、障子２の閉鎖時には、障子２の框材の屋内側見付面１３を覆うように形成され、これによって断熱性を確保している。
【００２１】
次に、図５および図６に示されるように、傾斜框３と下框４の中間部には垂直に対向する1対の縦桟１７が架設されている。すなわち、縦桟１７の上下部は板状に形成され、その上下部以外の中間部には中空部１８が形成されている。なお、図７のように、縦桟１７の上下端１４、１５はそれぞれ傾斜框３および下框４の屋内側に形成された嵌合溝１９、２０に嵌合され、さらにネジ２１によって固定されている。なお、縦桟１７の下端１５は詰め物１２とともに嵌合溝２０内に嵌め込まれている。また、縦桟１７は障子のガラス面よりも室内側に後退して配置され、ガラス面は単一のガラス板で構成されている。
【００２２】
これに対し、前記窓枠１の内側には、図２、図４、図５および図８に示されるように、傾斜枠５と下枠６の中間部に垂直に対向する1対の補助縦枠２２が架設されている。上記補助縦枠２２は金属本体２２ａと樹脂カバー２２ｂとから構成され、金属本体２２ａは窓枠１の傾斜枠５と下枠６に適宜の取付金具（図示せず）を介してネジ止め固定されている。樹脂カバー２２ｂは図４および図９に示されるように、断面コ字形で、屋内側から嵌め込んでねじ止めすることによって取り付けられている。なお、障子２の縦桟１７と窓枠１の補助縦枠２２とは互いに相対する位置に設けられ、障子２の閉鎖時には縦桟１７は補助縦枠２２の開口部から内側に納まるように構成されている。
【００２３】
なお、図８に示されるように、金属枠１ａを三角形状に枠組みした後、金属枠材５、６による両側の角部の内側にジョイナーブロック２７を嵌め込み固定し、２つのジョイナーブロック２７間に樹脂枠材９、１０ａが嵌め込み固定されている。
【００２４】
上記補助縦枠２２と縦桟１７とはリンク機構２４を介して連結されている。リンク機構２４は図４および図６に示されるように、補助縦枠２２の内側に配置され、補助縦枠２２と縦桟１７の各中空部に連結されている。金属下枠６と下框４もリンク機構２４を介して連結されている。リンク機構は障子を略水平方向に平行移動できる機構を有する公知のものを使用すればよい。
【００２５】
上記構成により、屋内側からハンドル２５を操作することによりリンク機構２４を作動させることにより、障子２を図５のように屋外側に略水平方向に移動して開き又は閉じ作動する。
【００２６】
なお、上記樹脂傾斜枠９はその中間部において上記縦桟１７に干渉するので、樹脂傾斜枠９には切欠き溝（図示せず）が形成され、上記縦桟１７と補助縦枠２２は切欠き溝内を通るように形成されている。
【００２７】
上述のように、窓枠１と障子２の互いに相対向する位置に補助縦枠２２と縦桟１７とを形成するという簡単な構造によって、異形サッシであってもリンク機構２４を設けることができる。したがって、窓枠全体を換気開口として利用することができ、内外の換気を効率よく行なうことができる。
【００２８】
上記開閉機構は通常の矩形のサッシに適用することができることはもちろんであるが、前記サッシが三角形だけでなく、垂直に対向する縦枠を有しない三角形、円形、菱形、台形等の異形サッシも同様の構成とすることによって十分な換気を得ることができる。
【００２９】
次に、図１０は上記窓枠が、建物出隅部において２つの壁面にまたがって設置されるコーナー窓の例で、窓枠１と障子２の互いに相対向する位置に補助縦枠２２と縦桟１７とが形成されている。したがって、補助縦枠２２と縦桟１７とをリンク機構（図示せず）によって連結することによって窓枠の開口部全体を換気開口として利用することができる。
【００３０】
図１１は建物の円弧状の壁面に設置される曲面窓の窓枠であり、窓枠１と障子２の互いに相対向する位置に補助縦枠２２と縦桟１７とが形成されている。したがって、補助縦枠２２と縦桟１７とをリンク機構（図示せず）によって連結することによって、窓枠１の開口部全体を換気開口として利用することができる。
【００３１】
このように、窓枠を区画したり、窓枠を複数の平面の組み合わせにしたりするという複雑な構造を採用しなくても、単純な機構によって外観を損なうことなく内外の換気を効率よく行なうことができる。
【図面の簡単な説明】
【００３２】
【図１】切妻部にサッシを設けた住宅の斜視図である。
【図２】上記サッシの内観図である。
【図３】図２のＸ−Ｘ線上の断面図である。
【図４】図２のＹ−Ｙ線上の断面図である。
【図５】障子を開いた状態の斜視図である。（外観図）
【図６】障子の分解斜視図である。（内観図）
【図７】縦桟の取付態様説明図である。
【図８】補助縦枠と樹脂枠の取付態様説明図である。（内観図）
【図９】補助縦枠の金属本体と樹脂カバーの取付態様説明図である。（内観図）
【図１０】コーナー窓への適用例を示す斜視図である。
【図１１】曲面窓への適用例を示す斜視図である。
【符号の説明】
【００３３】
１    窓枠
２    障子
１７    縦桟
２２    補助縦枠
２４    リンク機構
【図１】
2006132209.tif 000003
【図２】
2006132209.tif 000004
【図３】
2006132209.tif 000005
【図４】
2006132209.tif 000006
【図５】
2006132209.tif 000007
【図６】
2006132209.tif 000008
【図７】
2006132209.tif 000009
【図８】
2006132209.tif 000010
【図９】
2006132209.tif 000011
【図１０】
2006132209.tif 000012
【図１１】
2006132209.tif 000013